(57)【特許請求の範囲】
【請求項１】
投函物を収容するボックス本体と、前記ボックス本体の開口を開閉する開閉扉と、前記開閉扉を施錠／解錠するための錠構造とを備えた投函物受け箱であって、
前記錠構造が、前記開閉扉を施錠するための施錠機構部と、前記開閉扉を解錠するための解錠機構部とを備え、
前記施錠機構部が、グレモン錠であり、前記開閉扉に取り付けられた第一操作部と、該第一操作部の操作によって上下方向に延び、前記開閉扉の閉動作とともに前記ボックス本体の係止部に係止されて前記開閉扉を施錠するロッドと、前記第一操作部の操作によって前記ロッドを上下方向に進出させるロッド進退機構とを備えてなり、
前記解錠機構部が、前記ボックス本体に設けられた第二操作部と、該第二操作部の操作によって電流が流れて磁界を発生するコイル、及び該コイルで発生した磁界によって移動し、前記ロッドが上下方向に退避するように前記ロッド進退機構を動作させる芯材からなるソレノイド機構とを備え、
前記第一操作部の操作によって前記ロッドが上下方向に進出することで、該ロッドが前記係止部に係止されて前記開閉扉が施錠され、
前記第二操作部の操作によって前記ロッドが上下方向に退避することで、該ロッドと前記係止部との係止状態が解除され前記開閉扉が解錠されるように構成され、
前記ロッドを進出あるいは退避させる前記ロッド進退機構の各動作に連動して前記ボックス本体内の投函物の有無を表示する表示部を備え、
前記ロッド進退機構は、前記第一操作部の操作に従動して正逆回転可能に軸支され、その正逆回転によって前記ロッドを上下に進退させる回転体と、前記回転体を一方向に回転させ、前記ロッドが所定の進出量で進出した段階で前記回転体を係止し、前記ロッドを上下に進出した状態で保持するための係止部材と、前記回転体が一方向に回転するとともに伸長して前記回転体を他方向に回転させるように付勢する弾性部材と、を備え、
前記表示部は、投函物を収容できる状態であることを知らせるための第一表示部と、投函物が収容されている状態であることを知らせるための第二表示部と、を備え、
前記第二表示部は、前記第一表示部に対して進退自在に設けられるとともに、前記回転体の回転に従動して進退可能に構成されていることを特徴とする投函物受け箱。
【請求項２】
請求項１に記載の投函物受け箱において、
前記ロッドを進出させる前記ロッド進退機構の動作を検知するとともに信号を発信し、投函物の受取人に施錠操作及び／又は解錠操作を知らせる投函物受け箱の使用状態通知システムを備えている投函物受け箱。
【請求項３】
請求項１または請求項２に記載の投函物受け箱において、
前記コイルに電力を供給する電源の電池の交換時期を知らせる投函物受け箱の使用状態通知システムを備えている投函物受け箱。
【請求項４】
請求項１から請求項３のいずれか一項に記載の投函物受け箱の使用状態通知システムであって、
前記ボックス本体内に投函物を入れ、前記開閉扉を施錠するように前記第一操作部を操作するとともに該第一操作部の操作を検知する施錠操作検知手段と、
前記施錠操作検知手段による検知結果を受けて、前記投函物受け箱に投函物が収容されたことを示す通知を作成する配達通知作成手段、及び／又は前記投函物受け箱から投函物が取り出されたことを示す通知を作成する取出通知作成手段と、
前記配達通知作成手段及び前記取出通知作成手段で作成した通知をインターネット接続手段を通じて受取人に送信する通知手段とを備えることを特徴とする投函物受け箱の使用状態通知システム。
【請求項５】
請求項４記載の投函物受け箱の使用状態通知システムにおいて、
前記コイルに電力を供給する電源の電池が交換時期に達したことを示す通知を作成する電池交換通知手段と、
前記電池交換通知手段で作成した通知を知らせるインターネット接続手段を通じて受取人に送信する通知手段とを備える投函物受け箱の使用状態通知システム。
【発明の詳細な説明】
【技術分野】
【０００１】
本発明は、投函物受け箱及び投函物受け箱の使用状態通知システムに関する。
【背景技術】
【０００２】
従来、マンションやオフィスビル、戸建住宅などに、宅配の荷物（投函物）の受け渡しを行うための宅配ボックスなどの投函物受け箱を設けるケースが増えている。
【０００３】
この種の投函物受け箱は、一般に、前面の開口から投函物を入れてこれを収容するボックス本体と、ボックス本体の開口を開閉するための開閉扉とを備えて構成されている。
また、前面の開閉扉を開き、投函物をボックス本体内に収容し、同じ前面の開閉扉を開いて投函物を取り出す前入れ前出し式の投函物受け箱と、前面の一方の開閉扉を開き、投函物をボックス本体内に収容し、背面の他方の開閉扉を開いて投函物を取り出す前入れ後ろ出し式の投函物受け箱とがある。
【０００４】
さらに、開閉扉にダイヤル錠、シリンダー錠などの錠が一体に取り付けられ、開閉扉の表面に取り付けられた錠の操作部を操作することによって施錠／解錠するように構成されている（例えば、特許文献１、特許文献２参照）。
【先行技術文献】
【特許文献】
【０００５】
【特許文献１】特開２０１０−８２４８２号公報
【特許文献２】特開平１１−２０６５４８号公報
【発明の概要】
【発明が解決しようとする課題】
【０００６】
しかしながら、上記従来の投函物受け箱においては、錠構造として簡易なダイヤル錠、シリンダー錠を用いていることにより、施錠／解錠時の動作が多くなる。
【０００７】
本発明は、上記事情に鑑み、操作性、利便性に優れた投函物受け箱、投函物受け箱の使用状態通知システムを提供することを目的とする。
【課題を解決するための手段】
【０００８】
上記の目的を達するために、この発明は以下の手段を提供している。
【０００９】
本発明の投函物受け箱は、投函物を収容するボックス本体と、前記ボックス本体の開口を開閉する開閉扉と、前記開閉扉を施錠／解錠するための錠構造とを備えた投函物受け箱であって、前記錠構造が、前記開閉扉を施錠するための施錠機構部と、前記開閉扉を解錠するための解錠機構部とを備え、前記施錠機構部が、グレモン錠であり、前記開閉扉に取り付けられた第一操作部と、該第一操作部の操作によって上下方向に延び、前記開閉扉の閉動作とともに前記ボックス本体の係止部に係止されて前記開閉扉を施錠するロッドと、前記第一操作部の操作によって前記ロッドを上下方向に進出させるロッド進退機構とを備えてなり、前記解錠機構部が、前記ボックス本体に設けられた第二操作部と、該第二操作部の操作によって電流が流れて磁界を発生するコイル、及び該コイルで発生した磁界によって移動し、前記ロッドが上下方向に退避するように前記ロッド進退機構を動作させる芯材からなるソレノイド機構とを備え、前記第一操作部の操作によって前記ロッドが上下方向に進出することで、該ロッドが前記係止部に係止されて前記開閉扉が施錠され、前記第二操作部の操作によって前記ロッドが上下方向に退避することで、該ロッドと前記係止部との係止状態が解除され前記開閉扉が解錠されるように構成され、前記ロッドを進出あるいは退避させる前記ロッド進退機構の各動作に連動して前記ボックス本体内の投函物の有無を表示する表示部を備え、前記ロッド進退機構は、前記第一操作部の操作に従動して正逆回転可能に軸支され、その正逆回転によって前記ロッドを上下に進退させる回転体と、前記回転体を一方向に回転させ、前記ロッドが所定の進出量で進出した段階で前記回転体を係止し、前記ロッドを上下に進出した状態で保持するための係止部材と、前記回転体が一方向に回転するとともに伸長して前記回転体を他方向に回転させるように付勢する弾性部材と、を備え、前記表示部は、投函物を収容できる状態であることを知らせるための第一表示部と、投函物が収容されている状態であることを知らせるための第二表示部と、を備え、前記第二表示部は、前記第一表示部に対して進退自在に設けられるとともに、前記回転体の回転に従動して進退可能に構成されていることを特徴とする。
【００１１】
さらに、本発明の投函物受け箱においては、前記ロッドを進出させる前記ロッド進退機構の動作を検知するとともに信号を発信し、投函物の受取人に施錠操作及び／又は解錠操作を知らせる投函物受け箱の使用状態通知システムを備えていることがより望ましい。
【００１２】
また、本発明の投函物受け箱においては、前記コイルに電力を供給する電源の電池の交換時期を知らせる投函物受け箱の使用状態通知システムを備えていることがさらに望ましい。
【００１３】
本発明の投函物受け箱の使用状態通知システムは、上記のいずれかの投函物受け箱の使用状態通知システムであって、前記ボックス本体内に投函物を入れ、前記開閉扉を施錠するように前記第一操作部を操作するとともに該第一操作部の操作を検知する施錠操作検知手段と、前記施錠操作検知手段による検知結果を受けて、前記投函物受け箱に投函物が収容されたことを示す通知を作成する配達通知作成手段、及び／又は前記投函物受け箱から投函物が取り出されたことを示す通知を作成する取出通知作成手段と、前記配達通知作成手段及び前記取出通知作成手段で作成した通知をインターネット接続手段を通じて受取人に送信する通知手段とを備えることを特徴とする。
【００１４】
また、本発明の投函物受け箱の使用状態通知システムにおいては、前記コイルに電力を供給する電源の電池が交換時期に達したことを示す通知を作成する電池交換通知手段と、前記電池交換通知手段で作成した通知を知らせるインターネット接続手段を通じて受取人に送信する通知手段とを備えることが望ましい。
【発明の効果】
【００１５】
本発明の投函物受け箱においては、簡易なダイヤル錠、シリンダー錠などの錠構造を備えた従来の投函物受け箱と比較し、施錠／解錠の必要動作が少なくて済み、操作性、取扱性、利便性を大幅に向上させることが可能になる。
【００１６】
本発明の投函物受け箱の使用状態通知システムにおいては、例えば、投函物が着荷（収容）されたり、例えば複数人の家族のうちの誰かが受取人として投函物を受け取ったり、投函物受け箱で使用している電池が交換時期に達した際に、これら投函物受け箱の状態を受取人が即時に知ることができる。
【図面の簡単な説明】
【００１７】
【図１】本発明の一実施形態に係る前入れ後ろ出し式の投函物受け箱を示す前面側の上面側から見た斜視図である。
【図２】本発明の一実施形態に係る投函物受け箱を示す前面側の上面側から見た斜視図であり、開閉扉を開いた状態を示す図である。
【図３】本発明の一実施形態に係る投函物受け箱を示す上面側から見た平面図である。
【図４】本発明の一実施形態に係る投函物受け箱の前面側開閉扉の錠構造を示す分解斜視図である。
【図５】本発明の一実施形態に係る投函物受け箱の前面側開閉扉の錠構造を示す斜視図であり、解錠時の状態を示す図である。
【図６】本発明の一実施形態に係る投函物受け箱の前面側開閉扉の錠構造を示す斜視図であり、施錠時の状態を示す図である。
【図７】本発明の一実施形態に係る投函物受け箱の錠構造の配線図である。
【図８】本発明の一実施形態に係る投函物受け箱の錠構造の第二操作部を示す正面図である。
【図９】本発明の一実施形態に係る投函物受け箱の錠構造の第二操作部を示す側面図である。
【図１０】本発明の一実施形態に係る投函物受け箱の背面側開閉扉の錠構造を示す斜視図である。
【図１１】本発明の一実施形態に係る投函物受け箱の背面側開閉扉の錠構造を示す斜視図である。
【図１２】本発明の一実施形態に係る投函物受け箱の背面側開閉扉の錠構造を示す斜視図である。
【図１３】本発明の一実施形態に係る投函物受け箱の表示部を示す斜視図であり、解錠時の状態を示す図である。
【図１４】本発明の一実施形態に係る投函物受け箱の表示部を示す斜視図であり、施錠時の状態を示す図である。
【図１５】前入れ前出し式の投函物受け箱を示す前面側の上面側から見た斜視図である。
【図１６】前入れ前出し式の投函物受け箱の錠構造の配線図である。
【図１７】本発明の一実施形態に係る投函物受け箱の使用状態通知システムを示す図である。
【発明を実施するための形態】
【００１８】
以下、図１から図１７を参照し、本発明の一実施形態に係る投函物受け箱及び投函物受け箱の使用状態通知システムについて説明する。
【００１９】
本実施形態の投函物受け箱Ａは、例えば宅配ボックスであり、図１から図３に示すように、前入れ後ろ出し式の投函物受け箱であり、矩形箱状のボックス本体１と、ボックス本体１の前面１ａ側に設けられた投入口１ｂを開閉する前面側開閉扉（一方の開閉扉）２と、ボックス本体の背面１ｃ側に設けられた取出口１ｄを開閉する背面側開閉扉（他方の開閉扉）３と、前面側開閉扉２、背面側開閉扉３を施錠／解錠するための錠構造４とを備えて構成されている。
【００２０】
ボックス本体１は、矩形箱状に形成されるとともに、下面よりも所定寸法上方に底板１ｅを設け、この底板１ｅと下面の間に空間Ｈを備えて形成されている。
【００２１】
前面側開閉扉２と背面側開閉扉３はそれぞれ、ボックス本体１の前面１ａ側、背面１ｃ側の側部に設けられたヒンジ部１ｆを介してボックス本体１に接続されている。これにより、前面側開閉扉２と背面側開閉扉３はそれぞれ、ヒンジ部１ｆの上下方向Ｔ１に延びる回動軸周りに回動して投入口１ｂ、取出口１ｄを開閉するように設けられている。
【００２２】
前面側開閉扉２の裏面側に印鑑入れを設けておき、投函物を入れた段階で宅配者が印鑑入れから印鑑を取り出し、受け取り印を押印できるように構成してもよい。
【００２３】
また、本実施形態では、図３に示すように、前面側開閉扉２と背面側開閉扉３がボックス本体１よりも大きな幅寸法（幅方向Ｔ２）をもって形成されている。これにより、各開閉扉２、３は、その戸先側がボックス本体１の側面１ｇよりも僅かに突出するようにして配設されている。
【００２４】
錠構造４は、各開閉扉２、３を施錠するための施錠機構部６、３０と、各開閉扉２、３を解錠するための解錠機構部２０、３５とを備えている。また、施錠／解錠に応じてボックス本体１内に投函物が収容されている状態（例えば「使用中」）、投函物が使用されていない状態（例えば「受取り可」）、すなわち、投函物の有無を表示する表示部５を備えている。
【００２５】
前面側開閉扉２を施錠するための施錠機構部６は、図２に示すように、グレモン錠であり、前面側開閉扉２の裏面側に一体に取り付けられた第一操作部７と、第一操作部７の操作によって上下方向Ｔ１に延び、前面側開閉扉２の閉動作とともにボックス本体１の係止部８に係止されて前面側開閉扉２を施錠するロッド１０と、第一操作部７の操作によってロッド１０を上下方向Ｔ１に進出させるロッド進退機構１１とを備えて構成されている。
【００２６】
より具体的に、前面側開閉扉２を施錠するための施錠機構部６であるグレモン錠は、図２から図６に示すように、前面側開閉扉２の裏面（内面）側に設けられており、軸線Ｏ１周りに回転可能に支持された回転体１５と、回転体１５の軸部に接続して設けられ、手動操作によって回転体１５を軸線Ｏ１周りの一方向に回転させるための第一操作部７のダイヤルと、回転体１５が軸線Ｏ１周りの一方向に回転すると、これに従動して上方、下方にそれぞれ突出するように進出し、他方向に回転すると元の位置に退避する上方スライドロッド１０ａ及び下方スライドロッド１０ｂの一対のロッド１０と、ボックス本体１の上方と下方にそれぞれ設けられ、進出した上方スライドロッド１０ａの上端部側、進出した下方スライドロッド１０ｂの下端部側を、前面側開閉扉２を閉じるとともに係止して前面側開閉扉２を保持するための上下一対のラッチ（係止部）８とを備えて構成されている。
【００２７】
そして、ロッド進退機構１１は、第一操作部７のダイヤルに従動して正逆回転可能に軸支され、その正逆回転によって各スライドロッド１０を上下に進退させる回転体１５と、回転体１５を一方向（正方向）に回転させ、一対のスライドロッド１０が所定の進出量で進出した段階で回転体１５を係止し、一対のスライドロッド１０を上下に進出した状態で保持するための係止部材１６とを備えて構成されている。
【００２８】
また、前面側開閉扉２の裏面に一体に設けられ、各スライドロッド１０が上下方向Ｔ１に案内されるように進退自在に支持するガイド部材１７と、回転体１５が一方向に回転するとともに伸長して回転体１５を他方向に回転させるように付勢するバネ部材（弾性部材）１８とが具備されている。
【００２９】
次に、前面側開閉扉２を解錠するための解錠機構部２０は、図１、図７、図８、図９（図５、図６参照）に示すように、第一ソレノイド機構２１と、第一ソレノイド機構２１を駆動させるための第二操作部２２と、電源２３とを備えている。
【００３０】
第一ソレノイド機構２１は、電流を流すことにより磁界を発生するコイルと、コイルで発生した磁界によって前後方向に移動する芯材（鉄芯）とを備えている。
【００３１】
この第一ソレノイド機構２１は、コイルに電流が流れて芯材が前方に進出するとともに、ロッド進退機構１１の係止部材１６を押圧し、係止部材１６による回転体１５の係止状態を解除するように配設（構成）されている。
【００３２】
第二操作部２２は、例えばタッチパネル式の操作部であり、複数の数字（本実施形態では「１」、「２」、「３」、「４」）を表示する暗証番号キー２４と、作動キー（作動ボタン）２５とを備えている。また、本実施形態の第二操作部２２は、ボックス本体１の背面１ｃ側で背面側開閉扉３の戸先側の側面１ｇに、タッチパネル面がこの側面１ｇに沿うようにして取り付けられている。
【００３３】
そして、この第二操作部２２が電源２３に接続されており、予め記憶された第二操作部２２の暗証番号キー２４が適正に操作された後、作動キー２５を操作すると、電源２３から第一ソレノイド機構２１のコイルに電流が流れて芯材を前方に進出させ、進出させてから所定時間が経過すると、リミットスイッチ２６によってコイルへの給電が停止するように構成されている。
【００３４】
次に、背面側開閉扉３を施錠するための施錠機構部３０は、図２、図１０、図１１、図１２に示すように、背面側開閉扉３を閉じた状態で戸先側が配される一側部側に設けられている。そして、この施錠機構部３０は、上端側と下端側をそれぞれボックス本体１の上端部側と下端部側に上下方向Ｔ１に延びる軸線周りに回転可能に軸支され、ボックス本体の背面１ｃから奥行方向Ｔ３外側に突設されたラッチ（係合部）３１と、背面側開閉扉３に設けられ、ラッチ３１が係合するラッチ受け（係合受け部）３２とを備えている。
【００３５】
ラッチ３１は、先端に背面側開閉扉３を係止する鉤状部３１ａを備えている。さらに、鉤状部３１ａの先端側には、先端から後端側に向かうに従い漸次外側に離れるように傾斜し、背面側開閉扉３の閉動作によってラッチ受け３２が当接するとともにラッチ３１を押圧して軸線周りの他方向に回転させる傾斜面状の当接面３１ｂが設けられている。
【００３６】
次に、背面側開閉扉３を解錠するための解錠機構部３５は、図２、図７、図１０、図１１、図１２に示すように、第二ソレノイド機構３６と、第二操作部２２と、電源２３とを備えている。なお、背面側開閉扉３を解錠するための解錠機構部３５と、前面側開閉扉２を解錠するための解錠機構部２０は、第二操作部２２と電源２３を共用している。
【００３７】
第二ソレノイド機構３６は、第一ソレノイド機構２１と同様、電流を流すことにより磁界を発生するコイルと、コイルで発生した磁界によって前後方向に移動する芯材３６ａとを備えている。
【００３８】
第二ソレノイド機構３６は、ボックス本体１の底板１ｅの下の空間Ｈ内に収容して設けられている。また、第二ソレノイド機構３６の芯材３６ａの先端側がラッチ３１にリンク機構３７を介して接続されており、コイルに電流が流れて芯材３６ａが退避移動するとともに、リンク機構３７によってラッチ３１が軸線周りの他方向に回転し、ラッチ３１と背面側開閉扉３のラッチ受け３２との係合状態を解除するように構成されている。
【００３９】
また、予め記憶された第二操作部２２の暗証番号キー２４が適正に操作された後、作動キー２５を操作すると、電源２３から第一ソレノイド機構２１とともに第二ソレノイド機構３６のコイルに電流が流れて両ソレノイド機構２１、３６の芯材が移動するようになっている。
【００４０】
ここで、本実施形態においては、背面側開閉扉３の裏面に板バネ（弾性部材）３８が取り付けられ、ラッチ３１と背面側開閉扉３のラッチ受け３２との係合状態が解除されるとともに、板バネ３８の付勢力によって背面側開閉扉３が自動的に開くように構成されている。
【００４１】
次に、ボックス本体１内の投函物の有無を表示する表示部５は、図１、図４、図１３、図１４（図２、図５から図１２参照）に示すように、前面側開閉扉２の表面の所定位置に開口形成された表示窓４０と、投函物受け箱Ａの内部に投函物を収容できる状態であることを知らせるための表示（本実施形態では「受取り可」）が表記された第一表示板（第一表示部）４１と、投函物受け箱Ａの内部に投函物が収容されている状態であることを知らせるための表示（本実施形態では「使用中」）が表記され第二表示板（第二表示部）４２とを備えている。
【００４２】
そして、本実施形態の表示部５は、第一表示板４１が「受取り可」の表記を表示窓４０から表示するように前面側開閉扉２に一体に設けられている。また、第二表示板４２が第一表示板４１に対して進退自在（スライド移動可能）に設けられ、且つ進出するとともに第一表示板４１の「受取り可」の表記を隠し、「使用中」の表記を表示窓４０から表示させるように設けられている。
【００４３】
さらに、第二表示板４２は、進退方向後端側に所定の湾曲形状で凹設（貫通形成）されたガイド溝４３を備え、前面側開閉扉２を施錠するための施錠機構部６のロッド進退機構１１の回転体１５に一体に突設されたガイド突起４４にガイド溝４３を係合させて設けられている。すなわち、第二表示板４２は、回転体１５に設けられたガイド突起４４と、第二表示板４２に設けられたガイド溝４３とからなるリンク機構により、回転体１５の回転に従動して進退するように設けられている。
【００４４】
次に、上記のように構成した本実施形態の投函物受け箱Ａにおいて、宅配者が投函物受け箱Ａのボックス本体１内に投函物を入れる際の操作について説明する。
【００４５】
宅配者が投函物受け箱Ａのボックス本体１内に投函物を入れる際には、表示部５の表示窓４０から「受取り可」の表示がなされていることを確認するとともに、施錠されていない状態の前面側開閉扉２を手で開き、ボックス本体１内に投函物を入れる。また、必要に応じて、前面側開閉扉２の裏面側に設けられた印鑑入れから宅配者が印鑑を取り出し、受け取りの捺印をし、印鑑を元に戻す。
【００４６】
次に、宅配者が前面側開閉扉２の裏面に設けられた第一操作部７のダイヤルを一方向に回すと、図２、図５、図６に示すように、これに従動して回転体１５が軸線Ｏ１周りの一方向に回転し、一対のスライドロッド１０が上下方向Ｔ１に進出し、さらに係止部材１６が回転体１５を係止して保持する。
【００４７】
このように一対のスライドロッド１０が進出して保持された状態の前面側開閉扉２を宅配者が閉じると、一対のスライドロッド１０がそれぞれボックス本体１に設けられたラッチ８に係合し、前面側開閉扉２が施錠され、開かないようになる。
【００４８】
また、前面側開閉扉２を施錠するために回転体１５が一方向に回転すると、図１３、図１４に示すように、ガイド突起４４がガイド溝４３内を移動しつつ表示部５の第二表示板４２を押圧し、回転体１５に従動して第二表示板４２が所定量で前方に進出する。このように第二表示板４２が回転体１５に従動して進出することにより、第一表示部４１の「受取り可」の表示が第二表示板４２で隠れ、第二表示板４２の「使用中」の表記が表示窓４０から表示される。
【００４９】
次に、受取人が投函物受け箱Ａのボックス本体１内に届いた投函物を取り出す際の操作について説明する。
【００５０】
受取人が投函物受け箱Ａのボックス本体１内に届いた投函物を取り出す際には、図１、図７、図８に示すように、受取人が表示部５の表示窓４０から「使用中」の表示がなされていることを確認するとともに、使用者が操作部２２の作動キー（電源ボタン）２５を押すとタッチパネルの暗証番号キー２４が点灯し、この暗証番号キー２４を操作して適正な暗証番号を入力し、作動キー２５を操作する。
【００５１】
この操作がなされると、第二操作部２２からの信号によって電源２３から第一ソレノイド機構２１と第二ソレノイド機構３６のコイルにそれぞれ電流が一定時間流れ、第一ソレノイド機構２１の芯材と第二ソレノイド機構３６の芯材が略同時に移動する。
【００５２】
そして、まず、第二ソレノイド機構３６の芯材３６ａが退避移動すると、これとともにリンク機構３７によってラッチ３１が軸線周りの他方向に回転し、ラッチ３１と背面側開閉扉３のラッチ受け３２との係合状態が解除される（図１０から図１２参照）。すなわち、第二操作部２２のキー操作を行うだけで自動的に背面側開閉扉３が解錠される。
【００５３】
また、本実施形態では、背面側開閉扉３の裏面に板バネ３８が取り付けられているため、ラッチ３１とラッチ受け３２との係合状態が解除されるとともに、板バネ３８の付勢力によって背面側開閉扉３が自動的に開く。これにより、受取人が投函物を取り出すことができる。
【００５４】
また、一定時間が経過し、リミットスイッチ２６によって第二ソレノイド機構３６のコイルへの給電が停止されると、芯材３６ａが前方に進出し、ラッチ３１が元の位置に戻る。
【００５５】
これにより、投函物を取り出した受取人が背面側開閉扉３を閉じると、背面側開閉扉３のラッチ受け３２がラッチ３１の鉤状部３１ａの当接面３１ｂを当接してラッチ３１を押圧する。そして、背面側開閉扉３を閉じるとともに徐々にラッチ３１が軸線周りの他方向に回転し、背面側開閉扉３が閉じてラッチ３１の鉤状部３１ａの押圧状態が解除されると、ラッチ３１が背面側開閉扉３のラッチ受け３２に係合する。よって、背面側開閉扉３を閉じるだけで、ラッチ３１が自動的にラッチ受け３２に係合し、背面側開閉扉３が施錠され、閉じた状態で保持される。
【００５６】
一方、第一ソレノイド機構２１の芯材が移動すると、図２、図５、図６、図７、図１３、図１４に示すように、ロッド進退機構１１の係止部材１６が芯材に押圧され、係止部材１６による回転体１５の係止状態が解除される。そして、回転体１５が他方向に回転するようにバネ部材１８で付勢されているため、係止部材１６による係止状態が解除されるとともに回転体１５が他方向に回転し、一対のスライドロッド１０が上下方向Ｔ１に退避する。
【００５７】
これにより、一対のスライドロッド１０とボックス本体１のラッチ８の係合状態が解除され、自動的に前面側開閉扉２が解錠される。
【００５８】
また、回転体１５が他方向に回転すると、ガイド突起４４がガイド溝４３内を移動しつつ第二表示板４２を押圧し、回転体１５に従動して第二表示板４２が所定量で後方に退避し、元の位置に戻る。このように第二表示板４２が回転体１５に従動して退避することにより、第二表示板４２で隠れていた第一表示板４１の「受取り可」の表記が自動的に表示窓４０から表示される。
【００５９】
したがって、本実施形態の投函物受け箱Ａにおいては、簡易なダイヤル錠、シリンダー錠などの錠構造を備えた従来の投函物受け箱と比較し、施錠／解錠の必要動作がすくなくて済み、操作性、取扱性、利便性を大幅に向上させることが可能になる。
【００６０】
また、投函物受け箱Ａに投函物を収容するとともに、且つ投函物受け箱Ａから投函物を取り出すとともに、自動的に投函物受け箱Ａ内の投函物収容状態を知らせるように表示を切り替えることができる。よって、さらなる操作性、取扱性、利便性の向上を図ることが可能になる。
【００６１】
以上、本発明に係る投函物受け箱及び投函物受け箱の使用状態通知システムの一実施形態について説明したが、本発明は上記の一実施形態に限定されるものではなく、その趣旨を逸脱しない範囲で適宜変更可能である。
【００６２】
例えば、本実施形態では、本発明に係る投函物受け箱が前入れ後ろ出し式の投函物受け箱であるものとして説明を行ったが、図１５に示すように、前入れ前出し式の投函物受け箱であってもよい。すなわち、ボックス本体１の前面１ａ側に、投入口と取出口を兼ねた開口が設けられ、投函物をボックス本体１に収容する際、及びボックス本体１から取り出す際に開閉する１つの開閉扉２を備えて構成されてもよい。
【００６３】
そして、この場合には、１つの開閉扉２を開閉する錠構造４を備え、図１６に示すように、操作部２２のキー操作によってソレノイド機構２１が動作し、開閉扉２を解錠できるようにすればよい。また、操作部２２をボックス本体１の前面１ａ側に設けるようにすればよい。これにより、本実施形態と同様の作用効果を得ることが可能である。
【００６４】
また、開閉扉２、３を開くとともにボックス本体１内を明るく照らすＬＥＤなどの光源を備えた照明装置４５を設けるようにしてもよい（図９、図１０参照）。
例えば、ボックス本体１の内面側に配される第二操作部２２の裏面側に照明装置４５を内蔵しておき、第二操作部２２の解錠操作を行うとともに照明装置４５から光が照射されるように構成してもよい。これにより、開閉扉３を開くとともにボックス本体１内を自動的に明るく照らし、内部を見やすくすることができる。また、タイマーを設け、必要な時間（例えば５秒間）、光を照射した後、自動的に消灯するように構成してもよい。
【００６５】
また、電池が消耗している場合に、第二操作部２２の作動キー（電源ボタン）２５を押すと、暗証番号キー２４が点滅することによって電池交換時期を知らせるようにしてもよい。また、この状態でも暗証番号キー２４を操作して解錠することができ、この解錠操作を行って取出側開閉扉５が開いた際に照明装置４５の光が必要な時間点滅するようにしてもよい。
【００６６】
さらに、図９、図１７に示すように、投函物受け箱Ａに収容され、投函物の受取人（居住者／投函物受け箱Ａの使用者）に施錠操作及び／又は解錠操作を知らせる投函物受け箱の使用状態通知システムＢ設けるようにしてもよい。
【００６７】
具体的に、本実施形態の投函物受け箱の使用状態通知システムＢは、回転体１５の一方向への回転を検知するスイッチ４６（施錠操作検知手段：図５、図６参照）と、投函物受け箱Ａに投函物が収容されたことを示す通知を作成する配達通知作成手段、及び／又は投函物受け箱Ａから投函物が取り出されたことを示す通知を作成する取出通知作成手段と、配達通知作成手段及び／又は取出通知作成手段で作成した通知をインターネット接続手段を通じて受取人に送信する電子メール送信手段（通知手段）とを備えて構成されている。
【００６８】
例えば、この投函物受け箱の使用状態通知システムＢにおいては、図１７に示すように、投函物を投函物受け箱Ａに収容するために前面側開閉扉２を開き、投函物をボックス本体１内に入れ、第一操作部７を施錠操作すると、この施錠操作がスイッチ４６のオンオフで検知される。そして、スイッチ４６のオンオフ信号が第二操作部２２に内蔵するなどして投函物受け箱Ａに設けられた発信子（アンテナ）４７に送られ、この発信子４７からホームユニット４８に検知信号が送られ、ＷｉＦｉなどを通じて受取人に投函物が届いたことを知らせる電子メールが送信される。
【００６９】
これにより、受取人は、電子メール機能を有する端末装置４９で電子メールを受信し、投函物が届き、投函物受け箱Ａに収容されていることを知ることができる。
【００７０】
また、第二操作部２２を解錠操作すると、この解錠操作がスイッチ４６のオンオフで検知され、オンオフ信号がし、この発信子４７からホームユニット４８に検知信号が送られ、ＷｉＦｉなどを通じて受取人に投函物が取り出されたことを知らせる電子メールが送信される。この場合には、例えば、複数の家族の誰かが投函物をとったときにその状況を知ることができる。
【００７１】
なお、本実施形態では、第二操作部２２がボックス本体１の側面１ｇからタッチパネル面側を例えば５ｍｍ程度突出するようにしてボックス本体１に取り付けられている。また、この第二操作部２２のボックス本体１から外側に突出する部分に発信子（アンテナ部）が内蔵されている。
【００７２】
さらに、マンションなど、多数の居住者、投函物受け箱Ａが存在し、これら多数の投函物受け箱Ａを一括して管理する場合には、各居住者（受取人）のメールアドレスをメールアドレス記憶手段で記憶管理し、施錠操作、解錠操作された投函物受け箱に該当するメールアドレスを読み出し、その受取人に電子メールを送信するように構成すればよい。
【００７３】
また、受取人に通知する手段は必ずしも電子メールでなくてもよい。
例えば、施錠操作検知手段４６による検知結果を受けて、投函物受け箱Ａに投函物が収容されたことを示すホームページを自動作成し、使用者がこのホームページ、アプリを閲覧することで投函物が届き、投函物受け箱Ａに収容されていることを知ることができるように構成してもよい。また、電子メールとホームページ、アプリを併用してシステムを構築してもよい。
【００７４】
よって、このような投函物受け箱Ａの利便性をさらに向上させることが可能になる。
【００７５】
さらに、電池残量が少なくなった場合にも、投函物受け箱の使用状態通知システムＢの手段（電池残量検知手段、電池交換通知作成手段、通知手段）を利用して、一定の電池残量になった段階で発信子４７からホームユニット４８を介し、受取人に着荷通知と同様に電池交換時期を知らせる通知を送るようにしてもよい。
【符号の説明】
【００７６】
１      ボックス本体
１ａ    前面
１ｂ    投入口
１ｃ    背面
１ｄ    取出口
１ｅ    底板
１ｆ    ヒンジ部
１ｇ    側面
２      前面側開閉扉（開閉扉）
３      背面側開閉扉（開閉扉）
４      錠構造
５      表示部
６      施錠機構部
７      第一操作部
８      ラッチ（係止部）
１０    ロッド
１０ａ  上方スライドロッド
１０ｂ  下方スライドロッド
１１    ロッド進退機構
１５    回転体
１６    係止部材
１７    ガイド部材
１８    バネ部材
２０    解錠機構部
２１    第一ソレノイド機構
２２    第二操作部
２３    電源（電池ボックス）
２４    暗証番号キー
２５    作動キー
２６    リミットスイッチ
３０    施錠機構部
３１    ラッチ（係合部）
３１ａ  鉤状部
３１ｂ  当接面
３２    ラッチ受け（係合受け部）
３５    解錠機構部
３６    第二ソレノイド機構
３６ａ  芯材
３７    リンク機構
３８    板バネ（弾性部材）
４０    表示窓
４１    第一表示板
４２    第二表示板
４３    ガイド溝
４４    ガイド突起
４５    照明装置
４６    スイッチ
４７    発信子
４８    ホームユニット
４９    端末装置
Ａ      投函物受け箱
Ｂ      投函物受け箱の使用状態通知システム
Ｈ      空間
Ｏ１    軸線
Ｔ１    上下方向
Ｔ２    幅方向
Ｔ３    奥行方向
【図１】
0006652387.tif 000002
【図２】
0006652387.tif 000003
【図３】
0006652387.tif 000004
【図４】
0006652387.tif 000005
【図５】
0006652387.tif 000006
【図６】
0006652387.tif 000007
【図７】
0006652387.tif 000008
【図８】
0006652387.tif 000009
【図９】
0006652387.tif 000010
【図１０】
0006652387.tif 000011
【図１１】
0006652387.tif 000012
【図１２】
0006652387.tif 000013
【図１３】
0006652387.tif 000014
【図１４】
0006652387.tif 000015
【図１５】
0006652387.tif 000016
【図１６】
0006652387.tif 000017
【図１７】
0006652387.tif 000018